(57)【要約】【課題】ディスパッチシステム内の遠隔装置の電力を保存する方法および機器。【解決手段】  ディスパッチシステム内の遠隔装置の電力消費を削減するために、遠隔装置は活動休止状態に入る。基地局（３２）は順方向リンク一斉送信信号を送信し共通アクセスチャンネルをモニタする。第１遠隔装置（１０）は、順方向リンク一斉送信信号を頻繁に受信、復号化し、前記順方向一斉送信信号がアクティブ信号（１０６）を含むかどうか判断する。遠隔装置が順方向リンク一斉送信信号がある期間Ｔ1の間アクティブ信号を含まないと判断すると、第１遠隔装置は活動休止（１４８）モードに入る。活動休止モードでは、遠隔装置が前記順方向リンク一斉送信信号をときどき受信し復号化する。この遠隔装置または同じネット上のそれ以外の遠隔装置がプッシュツートークボタン（１２８、１３０）を押すと、その遠隔装置は共通アクセスチャンネル上でメッセージを送信する。【選択図】      図４
2011010360.tif 000002
【特許請求の範囲】
【請求項１】
ディスパッチシステム内の遠隔装置の電力消費を削減するための、
順方向リンク一斉送信信号を基地局から送信するステップと、
前記順方向リンク一斉送信信号を第１遠隔装置で受信し、頻繁に復号化し、前記順方向リンク一斉送信信号がアクティブ信号を含むかどうかを判断するステップと、
前記遠隔装置が、前記順方向リンク一斉送信信号がある期間Ｔ1の間アクティブ信号を含まないと判断する場合に、前記遠隔装置によって第１活動休止状態に入り、前記遠隔装置が、前記第１遠隔装置で前記順方向リンク一斉送信信号をときどき受信し、復号化するステップと、
前記遠隔装置の電力消費を前記第１活動休止状態で削減するステップと、
を含む方法。
【請求項２】
第１遠隔装置によって受話状態に入り、前記第１遠隔装置が順方向リンク一斉送信チャンネルを頻繁にモニタし、必要ならば高められた一斉送信電力に対する要求を送信するステップと、
前記頃方向リンク一斉送信チャンネルでの活動レベルが予め定められた活動レベルを下回るときに、前記第１遠隔装置によって、第１活動休止状態に入り、前記第１活動休止状態では前記第１遠隔装置が、時間期間で離れて間隔を置かれる第１の予め定められたセットのタイムスロットの間だけ、前記順方向リンク一斉送信チャンネルをモニタし、必要ならば、高められた一斉送信電力に対する要求を送信するステップと、
を含む、ディスパッチシステムの遠隔装置で電力を節約する方法。
【請求項３】
さらに、前記第１活動休止状態を終了し、第２活動休止状態に入り、前記第１遠隔装置が、前記第１の予め定められたセットのタイムスロットより、時間で離れてさらに大きく間隔が空けられた、第２の予め定められたセットのタイムスロットの間だけ、前記順方向リンク一斉送信チャンネルをモニタし、必要ならば、高められた一斉送信電力に対する要求を送信するステップを含む、請求項２に記載される方法。
【請求項４】
さらに、一斉送信警報が、前記順方向リンク一斉送信チャンネルで送信される場合に、前記第１活動休止状態を終了し、前記受話状態に再び入るステップを含む、請求項２に記載される方法。
【請求項５】
基地局が、第２遠隔装置からのプッシュツートーク（Ｐｕｓｈ−ｔｏ−Ｔａｌｋ）アクセスメッセージの受信に応えて前記一斉送信警報を作成する、請求項４に記載される方法。
【請求項６】
さらに、前記第１活動休止状態を終了し、前記第１遠隔装置によって作成されるプッシュツートーク（Ｐｕｓｈ−ｔｏ−Ｔａｌｋ）表示に応えてアクセス状態に入るステップを含む、請求項２に記載される方法。
【請求項７】
さらに、前記プッシュツートーク（Ｐｕｓｈ−ｔｏ−Ｔａｌｋ）表示の解放に応えて、前記アクセス状態から前記受話状態に再び入るステップを含む、請求項６に記載される方法。
【請求項８】
さらに、第２遠隔装置に、第２装置活動休止状態を終了させ、第２装置受話状態に入らせるように、前記プッシュツートーク（Ｐｕｓｈ−ｔｏ−Ｔａｌｋ）表示に応えて、前記順方向リンク一斉送信チャンネルで一斉送信警報を送信するステップを含む、請求項６に記載される方法。
【請求項９】
前記第１遠隔装置が、前記第１活動休止状態に自動的に入る、請求項２に記載される方法。
【請求項１０】
前記第１遠隔装置が、前記順方向リンク一斉送信チャンネルでのコマンドに応えて、前記第１活動休止状態に入る、請求項２に記載される方法。
【請求項１１】
前記第１遠隔装置が、前記順方向リンク一斉送信チャンネルでのコマンドに応えて、前記第２活動休止状態に入る、請求項３に記載される方法。
【請求項１２】
さらに、ネット番号をダイヤルし、信号を基地局に送信することによって通信を初期化するステップを含む、請求項２に記載される方法。
【請求項１３】
さらに、一斉送信ネットが確立されていない場合にアイドル状態に入るステップを含み、前記受話状態に入る前記ステップが、前記一斉送信ネットが確立されたことを示す、前記基地局からのページに応えて実行される、請求項１２に記載される方法。
【請求項１４】
前記順方向リンク一斉送信チャンネルが、符号分割多重アクセスシグナリングを使用する、請求項１２に記載される方法。
【請求項１５】
前記第１遠隔装置が、プッシュツートーク（Ｐｕｓｈ−ｔｏ−Ｔａｌｋ）ディスパッチ装置としてだけではなく、２地点間電話としても使用される、請求項２に記載される方法。
【請求項１６】
前記基地局が、ディスパッチ基地局だけではなく、２地点間基地局として機能する、請求項１２に記載される方法。
【請求項１７】
それぞれが、受話状態で頻繁に順方向リンク一斉送信チャンネルを受信し、前記順方向リンク一斉送信チャンネルでのリンク活動をモニタする複数の遠隔装置であって、前記複数の遠隔装置が、前記リンク活動が予め定められたしきい値を下回る場合に、第１活動休止状態に入る、複数の遠隔装置と、
アクセスチャンネル上で前記複数の遠隔装置の内の１つから受信されるプッシュツートーク（Ｐｕｓｈ−ｔｏ−Ｔａｌｋ）表示に応えて、前記順方向リンク一斉送信チャンネルで一斉送信警報を生成するように構成され、前記一斉送信警報が前記複数の遠隔装置に前記第１活動休止状態を終了するように命令する基地局と、
を備える、ディスパッチシステムで遠隔装置電力を節約するためのシステム。
【請求項１８】
順方向リンク一斉送信チャンネルを頻繁に受信するための手段と、
前記順方向リンク一斉送信チャンネル上での活動のレベルを決定するための手段と、
前記順方向リンク一斉送信チャンネル上の活動の前記レベルが、予め定められた活動レベルを下回る場合に、時間で離れて間隔が置かれる、第１の予め定められたセットのタイムスロットの間、前記順方向リンク一斉送信チャンネルを受信するための手段と、
を備える、ディスパッチシステムで動作する遠隔装置を制御するための機器。
【請求項１９】
さらに、前記遠隔装置が、前記第１の予め定められたセットのタイムスロットの間、前記順方向リンク一斉送信チャンネルを受信しているときに、前記遠隔装置によって消費される電力の量を削減するための手段を備える、請求項１８に記載される機器。
【請求項２０】
さらに、前記第１の予め定められたセットのタイムスロットより時間でさらに大きく離れて間隔が置かれる第２の予め定められたセットのタイムスロットの間、前記順方向リンク一斉送信チャンネル上での前記活動レベルが第２の予め定められた活動レベルを下回る場合にだけ、前記順方向リンク一斉送信チャンネルを受信するための手段を備える、請求項１９に記載される遠隔装置の制御のための機器。
【発明の詳細な説明】
【技術分野】
【０００１】
［I.発明の分野］
本発明は、概して、多元接続システムでの遠隔装置運用に関し、さらに特定すると、遠隔装置内での電力節約に関する。
【０００２】
［II.関連技術の説明］
無線電話通信システムにおいて、多くのユーザーは、無線チャンネル上で通信し、他の無線電話システムおよび有線電話システムに接続する。無線チャンネル上での通信は、多様な多元接続技法の内の１つである。これらの多元接続技法は、時分割多重アクセス(ＴＤＭＡ)、周波数分割多重アクセス(ＦＤＭＡ)、および符号分割多重アクセス（ＣＤＭＡ）を含む。ＣＤＭＡ技法は多くの利点を有している。典型的なＣＤＭＡシステムは、本発明の譲受人に譲渡され、参照してここに組み込まれる、１９９０年２月１３日にＫ．Ｇｉｌｈｏｕｓｅｎらに対し発行され、「衛星または地上中継器を使用するスペクトル拡散多元接続通信システム(ＳＰＲＥＡＤ ＳＰＥＣＴＲＵＭＭＵＬＴＩＰＬＥ ＡＣＣＥＳＳ ＣＯＭＭＵＮＩＣＡＴＩＯＮ ＳＹＳＴＥＭ ＵＳＩＮＧ ＳＡＴＥＬＬＩＴＥ ＯＲ ＴＥＲＲＥ ＳＴＲＩＡＬ ＲＥＰＥＡＴＥＲＳ)」と題する米国特許第４，９０１，３０７号に記述される。
【０００３】
いま言及した特許においては、各自がトランシーバを有する大多数の移動電話システムユーザーが、ＣＤＭＡスペクトル拡散通信信号を使用して衛星中継器、航空機搭載の中継器、または地上基地局を通して通信する、多元接続技法が開示される。ＣＤＭＡ通信を使用する上で、周波数スペクトルは、複数回、再利用することが可能で、システムユーザー容量の増加を可能にする。
【０００４】
ＣＤＭＡセルラシステムにおいては、各基地局が、限られた地理的な地域にカバレージを提供し、その有効範囲領域内の遠隔装置を、セルラ交換機を介して公衆加入電話網（ＰＳＴＮ）にリンクする。遠隔装置が新しい基地局の有効範囲領域に移動すると、遠隔装置の呼の経路選択はその新しい基地局に移される。その基地局から遠隔装置への信号伝送経路が順方向リンクと呼ばれ、その遠隔装置から基地局への信号伝送経路が逆方向リンクと呼ばれる。
【０００５】
典型的なＣＤＭＡシステムでは、各基地局は、他の基地局のパイロット信号からの符号位相でオフセットされる１つの共通擬似ランダム雑音（ＰＮ）拡散符号
を有するパイロット信号を送信する。システム運用中、遠隔装置は、それを通して通信が確立される、その基地局を取り囲む近接基地局に対応する符号位相オフセットの一覧の提供を受ける。遠隔装置は、それを使って、近接基地局を含む基地局のグループからパイロット信号の信号強度を追跡調査する検索要素を具備される。
【０００６】
ハンドオフプロセスの間に複数の基地局を通して遠隔装置との通信を提供するための方法およびシステムは、本発明の譲受人に譲渡される、１９９３年１１月３０日に発行された、「ＣＤＭＡセルラ通信システムの移動補助式ソフトハンドオフ（ＭＯＢＩＬＥ ＡＳＳＩＳＴＥＤ ＳＯＦＴ ＨＡＮＤＯＦＦ ＩＮ Ａ ＣＤＭＡ ＣＥＬＬＵＬＡＲ ＣＯＭＭＵＮＩＣＡＴＩＯＮ ＳＹＳＴＥＭ)」と題する、米国特許第５，２６７，２６１号に開示される。このシステムを使用すると、遠隔装置とエンドユーザーの間の通信は、最初の基地局からそれ以降の基地局への最終的なハンドオフにより途切れない。この種のハンドオフは、以後の基地局との通信が、最初の基地局との通信が終了する前に確立されるという点で、「ソフト」ハンドオフと見なされることがある。遠隔装置が２つの基地局と通信中であるとき、遠隔装置は、１つの共通基地局からのマルチパス信号が結合されるのと同じ方法で、各基地局から受信される信号を結合する。
【０００７】
通常のマクロセルラ（ｍａｃｒｏｃｅｌｌｕｌａｒ）システムにおいては、エンドユーザーのために各基地局によって受信される信号から単一信号を作成するために、システムコントローラが利用されることがある。各基地局内では、１つの共通した遠隔装置から受信される信号が、それらが復号化される前に結合され、したがって受信された複数の信号を完全活用する。各基地局からの復号化された結果は、システムコントローラに提供される。信号はいったん復号化されると、それは他の信号と「結合」することはできない。したがって、システムコントローラは、単一遠隔装置により通信が確立される相手の各基地局によって作り出される複数の復号化された信号の間で選択しなければならない。最も有利な復号化された信号が基地局からの信号のセットから選択され、選択されなかった信号はただ廃棄される。
【０００８】
遠隔装置補助式ソフトハンドオフは、遠隔装置によって測定される基地局の複数のセットのパイロット信号強度に基づいて動作する。アクティブセットとは、それを通してアクティブ通信が確立される基地局の集合である。候補セットとは、通信を確立するために十分な信号レベルでのパイロット信号強度を有する近隣セットまたは残りセットから選択される基地局の集合である。近隣セットとは、通信を確立するために十分なレベルの信号強度を持つ高い確率を有する基地局を含むアクティブ基地局を取り囲む基地局の集合である。残りセットは、アクティブセット、候補セット、または近隣セットの要素ではないシステム内のすべての基地局のことである。
【０００９】
通信が最初に確立されると、遠隔装置は第１基地局を通して通信し、アクティブセットは第１基地局だけを含む。その遠隔装置は、アクティブセット候補セット、近隣セットおよび残りセットの基地局のパイロット信号強度をモニタする。
【００１０】
近隣セットまたは残りセット内のある基地局のパイロット信号が予め定められたしきい値レベルを超えると、基地局は候補セットに加えられる。その遠隔装置は、第１基地局に対し新しい基地局を識別するメッセージを通信する。システムコントローラは、その新しい基地局と遠隔装置の間で通信を確立するかどうかを決定する。システムコントローラが通信を確立すると決定すると、システムコントローラはその新しい基地局に対し、その遠隔装置についての情報を識別するメッセージと、それと通信を確立するためのコマンドを送る。メッセージは、第１基地局を通してその遠隔装置にも送信される。そのメッセージは、第１基地局と新しい基地局を含む新しいアクティブセットを識別する。遠隔装置は、新しい基地局によって送信された情報信号を検索し、第１基地局を通る通信を終了しないでその新しい基地局と通信が確立される。このプロセスは、追加の基地局と続行できる。
【００１１】
遠隔装置は、複数の基地局を通して通信しているとき、それはアクティブセット、候補セット、近隣セットおよび残りセットの基地局の信号強度をモニタし続ける。アクティブセットの基地局に対応する信号強度が予め定められた時間期間の間、予め定められたしきい値を下回ると、遠隔装置がそのイベントを報告するためのメッセージを作成し、送信する。システムコントローラは、遠隔装置が通信中である相手基地局の少なくとも１つを通してこのメッセージを受信する。システムコントローラは、弱いパイロット信号強度を持つ基地局を通る通信を終了することを決定することがある。
【００１２】
システムコントローラは、基地局を通る通信の終了を決定すると、基地局の新しいアクティブセットを識別するメッセージを作成する。この新しいアクティブセットは、それを通した通信が終了されることになる基地局を含まない。それを通して通信が確立される基地局は、遠隔装置にメッセージを送る。システムコントローラは情報を基地局にも通信し、その遠隔装置との通信を終了する。したがって、遠隔装置通信は、新しいアクティブセットで識別される基地局を通してだけ送られる。
【００１３】
遠隔装置は、ソフトハンドオフプロセス中つねに少なくとも１つの基地局を通してエンドユーザーと通信しているため、遠隔装置とエンドユーザーの間では通信の中断は発生しない。ソフトハンドオフは、他のセルラ通信システムで利用される、従来の「ブレークビフォアメーク」技法に優る、それ固有の「メークビフォアブレーク(ｍａｋｅｂｅｆｏｒｅｂｒｅａｋ)」技法で重要な利点を提供する。
【００１４】
無線電話システムにおいては、取り扱うことができる同時電話呼の数という点でシステムの容量を最大限にすることは、きわめて重要である。各遠隔装置の送信電力が、それぞれの送信された信号が基地局受信機に同じレベルで到達するように制御される場合に、スペクトル拡散システムのシステム容量は最大限にすることができる。実際のシステムでは、各遠隔装置は、許容できるデータ回復を可能にする信号対雑音比を作り出す最小の信号レベルを送信する。遠隔装置によって送信される信号が低すぎる電力レベルで基地局受信機に到達すると、他の遠隔装置からの干渉のために、ビット誤り率は高すぎて、高品質通信を許さない可能性がある。他方、遠隔送信によって送信された信号が基地局で受信されたときに高すぎる電力レベルにあると、この特定の遠隔装置との通信は許容できるが、この高い電力信号が他の遠隔装置に対する干渉としての機能を果たす。この干渉は、他の遠隔装置との通信に悪影響を及ぼす可能性がある。
【００１５】
したがって、典型的なＣＤＭＡスペクトル拡散システムでの容量を最大限にするためには、基地局の有効範囲領域内の各遠隔装置の送信電力は、基地局によって制御され、基地局で同じ名目受信信号電力を生じさせる。理想的なケースでは、基地局で受信される総信号電力が、基地局の有効範囲領域内で送信中の遠隔装置の数で乗算される、各遠隔装置から受信される名目電力に、近接する基地局の有効範囲領域内にある遠隔装置からの基地局で受信される電力を加えたものに等しくなる。
【００１６】
無線チャンネルでの経路損失は、平均経路損失とフェージングという２つの別個の現象によって特徴付けられる。基地局から遠隔装置への順方向リンクは、遠隔装置から基地局への逆方向リンクとは異なる周波数で動作する。ただし、順方向リンクと逆方向リンクの周波数は同じ一般的な周波数バンド内にあるため、２つのリンクの平均経路損失の間の重要な相関関係が存在する。他方、フェージングは、順方向リンクと逆方向リンクに対して独立した現象であり、時間の関数として変化する。
【００１７】
典型的なＣＤＭＡシステムにおいては、各遠隔装置は、遠隔装置への入力での総電力に基づき順方向リンクの経路損失を概算する。総電力は、遠隔装置によって知覚されるのと同じ周波数割当で動作するすべての基地局からの電力の総計である。遠隔装置は、平均順方向リンク経路損失の概算から、逆方向リンク信号の送信レベルを設定する。２つのチャンネルの独立したフェージングのために同じ遠隔装置の順方向リンクチャンネルに比較して、１つの遠隔装置の逆方向リンクチャンネルが突然改善すると、この遠隔装置から基地局で受信される信号の電力が上昇する。この電力の上昇によって、同じ周波数割当を共用するすべての信号
に対する追加の干渉が引き起こされる。したがって、チャンネルでの突然の改善に対する遠隔装置送信電力の急激な応答は、システム性能を改善するだろう。したがって、基地局に、頻繁に、遠隔装置の電力制御機構に貢献させることが必要である。
【００１８】
また、遠隔装置送信電力が、１つまたは複数の基地局によって制御される場合がある。遠隔装置が通信している各基地局は、遠隔装置から受信された信号強度を測定する。測定された信号強度は、その特定の遠隔装置に関する希望される信号強度レベルに比較される。電力調整コマンドは、各基地局によって生成され、順方向リンクで遠隔装置に送信される。遠隔装置は、基地局電力調整コマンドに応えて、予め定められた量、遠隔装置送信電力を増加または減少する。この方法により、チャンネルでの変化に対する急激な反応が達成され、平均システム性能が改善される。通常のセルラシステムにおいては、基地局が密接に接続されておらず、システム内の各基地局が、他の基地局が遠隔装置の信号を受信する電力レベルを認識していないことを注意する。
【００１９】
遠隔装置が複数の基地局と通信中であるとき、電力調整コマンドは各基地局から提供される。遠隔装置は、これらの複数の基地局電力調整コマンドに作用し、他の遠隔装置通信に不利に干渉し、しかも遠隔装置から基地局の少なくとも１つへの通信をサポートするために十分な電力を提供する可能性がある送信電力レベルを回避する。この電力制御機構は、遠隔装置に、遠隔装置と通信している各基地局が電力レベルでの上昇を要求する場合にだけ、その送信信号レベルを上昇させることによって達成される。遠隔装置は、その遠隔装置が通信中である基地局が、電力が減少することを要求する場合に、その送信信号レベルを減少させる。基地局と遠隔装置の電力制御用のシステムは、本発明の譲受人に譲渡される、１９９１年１０月８日に発行された、「ＣＤＭＡセルラ移動電話システムで伝送電力を制御するための方法および機器（ＭＥＴＨＯＤ ＡＮＤ ＡＰＰＡＲＡＴＵＳ ＦＯＲ ＣＯＮＴＲＯＬＬＩＮＧ ＴＲＡＮＳＭＩＳＳＩＯＮ ＰＯＷＥＲ ＩＮ Ａ ＣＤＭＡ ＣＥＬＬＵＬＡＲ ＭＯＢＩＬＥ ＴＥＬＥＰＨＯＮＥ ＳＹＳＴＥＭ）」と題する米国特許第５，０５６，１０９号に開示される。
【００２０】
各遠隔装置によって送信される制御情報に応えて、基地局によって送信される各データ信号で使用される相対的な電力を制御することも望ましい。このような制御を提供する主要な理由とは、一定の場所では順方向チャンネルリンクがひどく不利を受ける可能性があるという事実に対処するためである。不利を受ける遠隔装置に送信されている電力が増加されない限り、信号品質は許容できなくなる可能性がある。このような場所の例は、１つまたは２つの近接の基地局への通路損失が、遠隔装置と通信中の基地局に対する通路損失とほぼ同じである点である。このような場所では、総干渉は、その基地局に比較的に近い点にある遠隔装置によって見られる干渉より３倍も増加するだろう。さらに、近接の基地局から生じる干渉は、アクティブ基地局から生じる干渉の場合でのように、アクティブ基地局からの信号に一致してフェードしない。このような環境にある遠隔装置は、適切な性能を達成するためには、アクティブ基地局からの３ｄＢから４ｄＢ追加された信号電力を必要とする可能性がある。
【００２１】
それ以外のときには、遠隔装置は、信号対干渉比が異常に優れている場所に配置してもよい。このようなケースでは、基地局は、通常より低い送信機電力を使用して希望される信号を送信し、システムによって送信されている他の信号への干渉を削減できるだろう。
【００２２】
前記目的を達成するために、信号対干渉測定機能が遠隔装置受信機内で提供できる。この測定は、希望される信号の電力を総干渉雑音電力に比較することによって実行される。測定された比が予め定められた値より小さい場合、遠隔装置は、順方向リンク信号での追加電力を求める要求を基地局に送信する。比が予め定められた値を超えると、遠隔装置は、電力削減の要求を送信する。遠隔装置受信機が信号対干渉比をモニタすることができる１つの方法は、結果として生じる信号のフレームエラーレート（ＦＥＲ）をモニタすることによる。別の方法は、受信済みと宣言された消去の数を測定することによる。
【００２３】
基地局は、各遠隔装置から電力調整要求を受信し、予め定められた量で、対応する順方向リンク信号に割り当てられる電力を調整することによって応答する。調整は、通常、約０．５ｄＢから１．０ｄＢ、つまり約１２％のように小さい。
【００２４】
電力の変化の速度は、逆方向リンクに使用される率よりやや、おそらく１秒あたり１度、遅い可能性がある。好ましい実施態様においては、調整の動的範囲は、通常、名目を下回る４ｄＢから名目送信電力を上回る約６ｄＢに限られる。
【００２５】
基地局は、特定の遠隔装置の要求に準拠するかどうかを決定する際に、他の遠隔装置によって行われる電力要求も考慮する必要がある。例えば、基地局が容量に負荷されると、追加電力に対する要求が許可される可能性があるが、通常の１２％の代りに６％以下だけである。この制度（ｒｅｇｉｍｅ）では、電力の削減に対する要求は、依然として通常の１２％変化で許可されるだろう。
【００２６】
最初のセルラ電話ライセンスが政府によって発行されたとき、スペクトルの使用に対する制約の１つは、通信事業者がディスパッチシステムサービスを提供できなかったことである。しかしながら、ＣＤＭＡシステムの大きな利点および民間ディスパッチシステムの配備と保守の固有の費用と問題のため、政府は、この問題を再検討中であろ。政府自体、このようなサービスから大きく利益を得るだろう。
【００２７】
通常の無線および有線の電話サービスは２地点間サービスを提供するが、ディスパッチサービスは、１対多（ｏｎｅ−ｔｏ−ｍａｎｙ）のサービスを提供する。ディスパッチサービスの共通の用法は、地元警察無線システム、タクシー急送システム、連邦捜査局、および諜報活動、および汎用軍事通信システムである。
【００２８】
ディスパッチシステムの基本的なモデルは、ユーザーの一斉送信ネットから成り立っている。各一斉送信ネットユーザーは、共通の一斉送信順方向リンク信号
をモニタする。ネットユーザーが話をしたいと考えると、ユーザーはプッシュツートーク（Ｐｕｓｈ−ｔｏ−Ｔａｌｋ）(ｐｕｓｈ ｔｏ ｔａｌｋ)（ＰＴＴ）
ボタンを押す。通常、話をしているユーザーの声は、一斉送信順方向リンク上で、逆方向リンクから送られる。理想的には、ディスパッチシステムは、システムへの陸線および無線のアクセスを可能にする。
【００２９】
前述されるように２地点間装置としての機能を果たす遠隔装置用の電力制御機構が、直接的にディスパッチシステムに応用できないことに注意する。ディスパッチシステムにおいては、複数の遠隔装置が、同じ順方向リンク信号を聞いている。ディスパッチシステムでは、過半数の遠隔装置が、任意の一時点で受動的である(つまり、ただ聞いている)。また、順方向リンク一斉送信チャンネルが音声情報を送信しない場合、長い時間期間が経過する可能性があることにも注意する。本発明はかなりの静かな時間を利用し、遠隔装置の電力消費を削減する。
【発明の概要】
【００３０】
プッシュツートーク（Ｐｕｓｈ−ｔｏ−Ｔａｌｋ）システムにおいては、遠隔装置が、バッテリを交換しないで、フィールドでアクティブであり続ける能力がきわめて重要である。しかし、一方の遠隔装置でプッシュツーボタンを押すことと、他方の遠隔装置で対応する音声信号を受信することの間の待ち時間が許容できる範囲に保たれることも重要である。したがって、遠隔装置は、動作中、多くの状態を横切って行く。音声情報が順方向リンク一斉送信チャンネル上で送信されない時間期間が経過すると、遠隔装置は活動休止状態に入る。活動休止状態において、それが順方向リンク一斉送信チャンネルをモニタする時間を制限することによって、その電力消費を減少させる。活動休止状態内で、それぞれが異なる電力消費とプッシュツートーク（Ｐｕｓｈ−ｔｏ−Ｔａｌｋ）待ち時間に異なるスロットを持つ、多くのサブ状態（ｓｕｂｓｔａｔｅ）がある場合がある。ネット内の任意の遠隔装置がそのプッシュツートーク（Ｐｕｓｈ−ｔｏ−Ｔａｌｋ）
ボタンを押すと、システム全体が目覚める。電力制御は、システムが目覚めるときに、それが通常の動作を開始する準備が完了するように、活動休止モードで動作し続ける。
【図面の簡単な説明】
【００３１】
【図１】図１は通常のディスパッチシステムを示す。
【図２】図２は本発明に従う順方向一斉送信チャンネル電力制御を示すフローチャートである。
【図３】図３は遠隔装置の状態とその間での遷移を引き起こすことがある励振を示す状態図である、
【図４】図４は遠隔装置の状態と、その間での遷移を引き起こすことがある励振を示す状態図で、活動休止状態は、基地局によって制御されている。
【発明を実施するための形態】
【００３２】
本発明の特徴、目的、および優位点は、図面とともに解釈されるときに、以下に述べられる詳細な説明からさらに明らかになるだろう。
【００３３】
図１は、通常のディスパッチシステムを示す。好ましい実施態様においては、遠隔装置１０、２０、２２および２４は、ディスパッチ装置と２地点間電話の両方として機能できる。図１では、遠隔装置１０は、現在、能動的な話し手であり、遠隔装置２０、２２および２４が現在は受動的な聞き手である。基地局３０、３２、および３４は、遠隔装置２０、２２および２４に対し一斉送信順方向リンクチャンネルを提供する。基地局３０は、遠隔装置１０への専用トラフィックチャンネルを提供する。専用トラフィックチャンネルは、遠隔装置１０が、それ自体の音声信号を受信しない可能性があるという点を除き、順方向リンク一斉送信チャンネルに類似している。また、基地局３０は、アクティブな遠隔装置１０から逆方向リンク信号を受信している。移動交換センタ（ＭＳＣ）３８は、基地局への、および基地局からのシグナリングを調整する。通信マネージャ４０が、遠隔装置の内の２つが「プッシュツートーク(Ｐｕｓｈ−ｔｏ−Ｔａｌｋ)」（ＰＴＴ）ボタンを同時に押した場合に要求に優先順位を付けることのような、ネットを制御する。好ましい実施態様では、エアインタフェースシグナリングと変調は、一般的には、ただＩＳ−９５と呼ばれる「二重モード広帯域スペクトル拡散セルラシステム用移動局−基地局互換性規格(Ｍｏｂｉｌｅ Ｓｔａｔｉｏｎ−Ｂａｓｅ Ｓｔａｔｉｏｎ Ｃｏｍｐａｔｉｂｉｌｉｔｙ Ｓｔａｎｄａｒｄ ｆｏｒ Ｄｕａｌ−Ｍｏｄｅ Ｗｉｄｅｂａｎｄ Ｓｐｒｅａｄ Ｓｐｅｃｔｒｕｍ Ｃｅｌｌｕｌａｒ Ｓｙｓｔｅｍｓ)」ＴＩＡ／ＥＩＡ／ＩＳ−９５に説明される符号分割多重アクセス（ＣＤＭＡ）システムに準じている。ＩＳ−９５では、遠隔装置が、移動局と呼ばれる。
【００３４】
技術では、基地局は、例えば３つのセクタにｓｅｃｔｏｒｉｚｅｄされることがあることがよく知られている。基地局という用語が本文中で使用される場合、その用語は、基地局全体または複数の扇形に区分された（ｍｕｌｔｉｓｅｃｔｏｒｅｄ）基地局の内のただ１つのセクタを指す可能性があることが暗示される。
【００３５】
図１では、アクティブな遠隔装置１０は、基地局３０との確立された双方向リンクを有する。アクティブになるために、遠隔装置は、基地局３０へのトラフィックチャンネルを要求するアクセスチャンネルメッセージを送る。アクセスメッセージはアクセスチャンネル上で送られる。アクセスチャンネルは、基地局に対し通信するために遠隔装置によって使用される逆方向リンクチャンネルである。
【００３６】
アクセスチャンネルは、発呼、ページへの応答、および登録のような短いシグナリングメッセージ交換に使用される。アクセス試行は、一連のアクセスプローブ内で遠隔装置により送られる。各アクセスプローブが同じ情報を伝搬するが、過去の電力レベルより高い電力レベルで送信される。アクセスプローブは、基地局の肯定応答が遠隔装置で受信されるまで続く。
【００３７】
アクセスチャンネルは、共用されたスロット（ｓｌｏｔｔｅｄ）ランダムアクセスチャンネルである。ただ１つの遠隔装置だけが、一度にアクセスチャンネルを無事に使用することができる。また、各継続アクセスプローブは、過去の電力レベルに比較して高められた電力レベルで送られ、アクセスチャンネルは電力制御されていないため、アクセスチャンネルは他の逆方向リンク信号への干渉としての機能を果たす。これらの理由から、アクセス試行の数を最小限にとどめることが有利である。
【００３８】
遠隔装置１０は、通信リンクを確立したときに、それは専用順方向リンクトラフィックチャンネル上で順方向一斉送信チャンネルのシグナリングを受信する。
【００３９】
このようにして、遠隔装置１０は、順方向リンク一斉送信チャンネルをモニタせず、独自の専用順方向リンクトラフィックチャンネルでディスパッチシステム情報のすべてを受信する。遠隔装置１０は、専用逆方向チャンネルで基地局３０へ通信し返す。好ましい実施態様では、順方向リンクと逆方向リンク上での電力制御は、ＩＳ−９５に従って前述されるように実行される。遠隔装置１０は、それ自体の専用の順方向リンク信号経路を有するため、遠隔装置に特殊なメッセージ通信をシグナリングに含めることができる。例えば、遠隔装置１０にディスパッチシステム遠隔装置と２地点間電話装置の両方として動作する機能がある場合、遠隔装置１０は、順方向リンクトラフィックチャンネル上で入信２地点間呼が遠隔装置１０に向かって向けられている旨を通知されることができる。
【００４０】
他方、図１では、受動的な遠隔装置２０、２２、および２４は、基地局のどれに対しても確立された逆方向リンク信号を持たない。遠隔装置２０、２２、および２４が完全にパッシブである場合、個々の基地局は、遠隔装置がその対応する有効範囲領域内にあるかどうか気づいていない可能性があることに注意する。遠隔装置が基地局の有効範囲領域に入ったときに、その基地局で登録したとしても、基地局は、いつ遠隔装置がいつその基地局の有効範囲領域を離れたのかを知ることはできない。
【００４１】
遠隔装置２０、２２、２４がパッシブであっても、それらは依然としてアクセスチャンネルを使用し、基地局と通信することができる。好ましい実施態様では、パッシブ遠隔装置２０、２２、および２４は、アクセスチャンネルを使用し、基地局に、それらが順方向リンク一斉送信チャンネルからさらに多くの電力を必要としているかどうかを知らせる。電力要求アクセスメッセージには、いくつかの信号レベルまたは品質の表示が含まれることがある。例えば、遠隔装置が基地局からのパイロット信号を知覚する強度を示すフィールドがある場合がある。あるいは、遠隔装置が順方向リンク一斉送信チャンネルを知覚する強度または品質を示すフィールドがある可能性がある。パイロットチャンネルと順方向リンク一斉送信チャンネルの両方の信号強度つまり品質を示すフィールドがある場合もある。パイロット信号強度と順方向リンク一斉送信チャンネル強度の間の差、つまり順方向リンク一斉送信チャンネル強度に対するパイロット信号強度の比を示すフィールドがある場合がある。
【００４２】
標準的なセルラシステムは、そのそれぞれが限られた有効範囲領域内に位置する遠隔装置に通信を提供する複数の基地局から構成されている。協力して、複数の基地局は、サービスエリア全体にカバレージを提供する。ディスパッチシステムが、賃貸関係者（ｌｅａｓｉｎｇ ｐａｒｔｙ）により賃貸されるときに、賃貸関係者は、サービスエリア全体にカバレージを提洪することを希望することがある。しかし、順方向リンク一斉送信信号が、システム内の各基地局からつねに送信されると、システムのコストはきわめて高くなる可能性がある。システムにさらに高い総合的な容量を提供するより効率的かつ経済的な方法は、遠隔装置が位置するそれらの基地局内にある順方向リンク一斉送信チャンネルだけを送信し、信頼できる通信を提供するのに必要とされる最小レベルで順方向リンク一斉送信を送信することである。
【００４３】
順方向リンク一斉送信チャンネルが送信されていない場合、対応する資源が、他の２地点間ユーザーまたは一斉送信ユーザーに利用できる。さらに、順方向リンク一斉送信チャンネルを送信していない基地局の有効範囲領域内のその他のユーザーは、それからの干渉にはさらされない。順方向リンク一斉送信チャンネルが送信されているかどうかに関係なく、パイロット信号が各基地局から頻繁に送信されることを覚えていること。
【００４４】
基地局間の通信のハンドオフも、遠隔装置が２地点間装置として動作しているときとは、一斉送信モードで異なる。前記に詳しく説明されたように、遠隔装置が２地点間装置として動作しているとき、ハンドオフは、遠隔装置によって行われるパイロット信号強度測定のセットに関して制御される。アクティブセットは、アクティブ通信がそれを通して確立される基地局の集合である。候補セットとは、通信を確立するために十分な信号レベルでパイロット信号強度を有する近隣セットまたは残りセットから選択される基地局の集合である。近隣セットは、通信を確立するために十分なレベルの信号強度を持つ高い確率を有する基地局を含む、アクティブ基地局を取り巻く基地局の集合である。残りセットは、アクティブセット、候補セット、または近隣セットの要素ではないシステム内のすべての基地局を含む。
【００４５】
遠隔装置が２地点間装置として動作しているとき、基地局の近隣セットに対応するパイロット信号が、残りセットに対応するパイロット信号より高い周波数で検索されるという点で、基地局の近隣セットは、残りセットより好まれる。例えば、好ましい実施態様では、最初に、近隣セットが検索されてから、残りセットの１つの要素が検索される。第２に、近隣セット全体がもう一度検索され、残りセットの次に連続する要素が検索される。動作は、周期的に続行する。
【００４６】
遠隔装置がアクティブな２地点間通信リンクを確立させると、移動交換センタ内に位置するシステムコントローラは、各遠隔装置に、近隣セットを含む基地局の一覧を送る。近隣セットは、遠隔装置の位置に依存する。そのようなものとして、近隣セットは、ある遠隔装置内で、それが別の遠隔装置内で含んでいるのとは異なる基地局のセットを含む。システムコントローラは、近隣セットの基地局の個々に区別されたリストを、確立された川順方向リンクトラフィックチャンネルを介して対応する遠隔装置に送ることができる。
【００４７】
しかし、一斉送信モードでは、順方向リンク一斉送信チャンネルは、すべての遠隔装置に対し同じではなく、そのようなものとして、近隣セット情報の各遠隔装置への伝送は、一斉送信モードでは洗練（ｅｌｅｇａｎｔ）されていないことに注意する。また、一斉送信モードでは、遠隔装置と逆方向リンクが確立されていないため、システムコントローラは、近隣セットを決定するために、遠隔装置の位置を知らない。一斉送信モードの好ましい実施態様では、一斉送信モードで動作する各遠隔装置の近隣セットは空である。このようにして、一斉送信モードで動作している遠隔装置は、順方向リンク一斉送信チャンネルをモニタするときに、頻繁に残りセットから直接的に検索する。アクティブセットの要素のパイロット信号強度が、指定された時間量より多く、しきい値、Ｔ−ドロップ（Ｔ＿ＤＲＯＰ）を下回ると、アクティブセット内の対応するエントリが削除され、対応するエントリが残りセットに追加される。遠隔装置は、対応する基地局から、もはや順方向リンク一斉送信チャンネルをモニタしなくなる。このようにして、候補セットの使用も排除されることに注意する。
【００４８】
残りセットの要素である基地局のパイロット信号が、一定のしきい値、Ｔ−アド（Ｔ＿ＡＤＤ）を上回るとき、遠隔装置は、対応するエントリをアクティブセットに追加することができる。遠隔装置は、その基地局から順方向リンク一斉送信チャンネルを復調する。遠隔装置は、新規に追加された基地局からの信号を、それが受信している他の基地局からの信号とダイバシティー結合し始める。遠隔装置が順方向リンク一斉送信チャンネルを復調できない場合、それは基地局に対し電力要求アクセスメッセージを送ることがある。
【００４９】
基地局が、順方向リンク一斉送信チャンネルが確立されていないときに電力要求アクセスメッセージを受信すると、それは、応えて基地局に初期に確立されたレベルで順方向リンク一斉送信チャンネルの送信の開始するように命令するシステムコントローラに知らせる。基地局は図２に従って電力制御を実行し始め、開始ブロック５０で開始する。図２のブロック５２は、所定の間隔で実行される。ブロック５０が実行される間隔が、動作の電力制御速度を設定する。ブロック５２では、基地局が、電力要求アクセスメッセージが受信されたかどうかを確認する。受信されていなかった場合、そうすることが送信電力を所定の最低、ＭＩＮを下回るまで減少しないならば、現在の送信電力を予め定められた量、δ、削減するブロック５４が実行される。フローはブロック５６に続く。ブロック５６では、基地局送信電力が、所定の時間間隔Ｔより長く最低であった場合、順方向リンク一斉送信チャンネルの伝送が、ブロック５８に示されるように終了され、図２の実行が、ブロック６０に示されるように終了する。このようにして、すべてのパッシブ遠隔装置が基地局の有効範囲領域を出ると、基地局は、最終的に、送信レベルを最低に減少し、予め定められた期間Ｔの間、最低レベルで送信することによって順方向リンク一斉送信チャンネルの伝送を排除する。送信レベルがＴより長く最低に等しくなかった場合にもう一度ブロック５６に戻ると、フローはブロック５２に戻って続行する。
【００５０】
電力要求アクセスメッセージが受信されると、実行は、ブロック５２からブロック６６に流れる。送信電力が最近（例えば、最後のＸフレーム内で）上昇した場合、フローはブロック５２に戻り、要求が無視される。このようにして、２つの遠隔装置が互いに密接に示唆して電力増加を要求する場合、電力は一度だけ増加される。どちらかの遠隔装置がまださらに多くの電力を必要とする場合は、それは別の要求を送信する。したがって、システムは、順方向一斉送信チャンネル電力レベルを不当に、他のシステムユーザーに損害を与えて過剰に増加しない。
【００５１】
送信電力レベルが最後のＸフレーム内で上昇しなかった場合、基地局は、それが、遠隔装置が基地局パイロット信号を受信する、ブロック６８、強度に基づき、その分、電力を増加する量Δを決定する。遠隔装置がカバレージの端に近づいていくと、それは電力を増加するために、電力要求アクセスメッセージを基地局に送る。それがサービスエリアの外に移動すると、基地局はその遠隔装置に信号を提供する必要はなくなる。量△は、遠隔装置によって送られる信号強度メッセージに基づき、Δ1とΔ2の間で選択される。例えば、遠隔装置が電力の増加を要求し、遠隔装置によって測定されるパイロット信号と順方向リンク一斉送信チャンネルの間の電力レベルの差が小さい場合、Δの規模は、電力レベルの差が大きい場合より少なくなる。ブロック７０では、送信電力は、量Δ、またはさらに低い送信電力レベルを出す最大送信値ＭＡＸまで増加する。このようにして、基地局の最大送信電力は制限される。ブロック７０から、フローはブロック５２に戻って続く。明らかに、Δという値が固定されるケースは、本発明の範囲内にある。
【００５２】
システムパラメータＴ、ＭＩＮ、およびＭＡＸが、賃貸関係者により、自分たちのニーズと支払う能力に従って設定できることに注意する。例えば、中央情報局、ＣＩＡがきわめて秘密かつ危険な使命を遂行している場合、それは、出力要求アクセスメッセージさえ送られない完全にパッシブな遠隔装置動作を持つことを希望する可能性がある。このようなケースでは、ＭＩＮとＭＡＸは両方とも最大限の電力に等しく設定され、Ｔは無限に設定される。このようにして、システム内のすべての基地局は、最大限の電力で頻繁に送信し、有効範囲領域内の遠隔装置は、電力要求アクセスメッセージを送信する必要はない。
【００５３】
遠隔装置が、それがさらに多くの電力を必要とすることを決定する方法は、ＩＳ−９５に従って動作している遠隔装置で使用される方法に類似する。例えば、遠隔装置はフレーム消去レートをしきい値に比較することがある。遠隔装置は、フレームのスライド式ウィンドウ内で消去の数をカウントすることがある。遠隔装置は、連続消去の数をカウントすることがある。遠隔装置がさらに多くの電力を必要としているかどうかを決定するために、信号対雑音比のような他のリンク品質測定を使用してもよい。対応するパイロット信号のパイロット信号強度がＴ―ドロップ（Ｔ＿ＤＲＯＰ）を下回る場合、遠隔装置は、電力要求アクセスメッセージを送らない。
【００５４】
基地局資源の節約は重要であるが、遠隔装置電力の節約も重要である。遠隔装置がフィールド内にあるとき、その遠隔装置は、通常、バッテリによって動力を供給されている。バッテリ電力を節約する１つの方法は、遠隔装置が順方向リンク一斉送信チャンネルをモニタしている時間の量を制限することである。例えば、図３は、遠隔装置の状態と、その間の遷移を引き起こす可能性がある励振を示す状態図である。
【００５５】
ネットが初期に確立されると、能力のある装置がネット番号をダイヤルする。ネットに参加することを希望する各遠隔装置も、同じ番号に電話をかける。番号のダイヤルを回すのは手動でなくてもよい。それは、ただ装置に電源を入れるだけで、自動的に実行されてよい。それは、限られた数のキーストロークを押すことによってダイヤルされることがある。図３では、ブロック１００が、ネット番号がダイヤルされる前の遠隔装置の状態を表す。サービスは起動され１１６、遠隔装置がダイヤルされた番号を送信し、遠隔装置が初期化状態１０２に入ることを示す。初期化状態１０２では、遠隔装置は登録し、ＩＳ−９５の第６．６．５．５．２項に従った他の初期化手順を実行する。
【００５６】
初期化状態１０２から、遠隔装置は、ネットが一斉送信イナクティブ１１８を通してまだ確立されていない場合にアイドル状態１０４に入る。遠隔装置は、ネットが確立されるまで、初期化アイドル状態１０４にとどまる。遠隔装置は、ネットが確立されたことを通知されると、遠隔装置は、ページングされた遠隔装置１２２を介して受話（ｌｉｓｔｅｎ）状態に入る。遠隔装置は、ネットが確立されている場合、一斉送信アクティブ１２０を介して初期化状態１０２から直接受話状態１０６に入ることがある。
【００５７】
受話状態１０６では、遠隔装置は、順方向リンク一斉送信チャンネルを頻繁にモニタする。ネット内の遠隔装置のどれも、Ｔ1を上回る時間期間の間、ＰＴＴボタンを押さない場合、遠隔装置はタイムアウト１２４を介して活動休止状態１０８に入る。好ましい実施態様においては、活動休止状態１０８は、複数の状態から構成されている。例えば、活動休止状態１０８は、２つのスロットモード状態Ｄ1１３４とＤ2１３６から構成される。遠隔装置は、最初にタイムアウト１２４から、遠隔装置が順方向リンク一斉送信チャンネルを頻繁にモニタしなくなったＤ1１３４に入る。代りに、遠隔装置は、ほんの少しの時間だけ順方向リンク一斉送信チャンネルをモニタする。例えば、順方向リンク一斉送信チャンネルをほんの少しの時間だけモニタする１つの方法は、定期的なスロットサイクルを使用することである。定期的なスロットサイクルを使用して、遠隔装置は、ＴD1秒ごとに短い時間期間の間、順方向リンク一斉送信チャンネルをモニタする。遠隔装置が順方向リンク一斉送信チャンネルをモニタしていないとき、それはその回路のかなりの部分の電源を切り、その電力消費を大幅に削減する。状態Ｄ1１３４の典型的なスロットサイクルは２−３秒である。遠隔装置は順方向リンク一斉送信チャンネルを２−３秒ごとにモニタしているだけなので、信号が順方向リンク一斉送信チャンネル上の伝送に使用できる時間と、遠隔装置がそれを受信するために目覚めているときの間には、平均で、１秒から１．５秒の待ち時間遅延がある。
【００５８】
遠隔装置がＤ1１３４状態にある時間の間、一斉送信警報が遠隔装置によって受信されると、遠隔装置は、一斉送信警報１２６を介して受話状態１０６に再び入る。ネットの任意のメンバーがＰＴＴボタンを押すと、一斉送信警報が作成される。遠隔装置がＤ1１３４にある時間中、一定の時間期間Ｔ2の後も一斉送信警報が受信されないと、遠隔装置はタイムアウト１３８を介してＤ2１３６に入る。Ｄ2１３６では、遠隔装置が、さらに少ないほんの少しの時間期間、順方向リンク一斉送信チャンネルをモニタする。例えば、定期的なスロットサイクルを使用して、遠隔装置は、ＴD2秒ごとに短い時間期間の間、順方向リンク一斉送信チャンネルをモニタする。状態Ｄ1１３４の間の典型的なスロットサイクルは、５−１０秒なので、さらに大きい平均待ち時間を犠牲にして、さらに多くの遠隔装置電力を保存する。遠隔装置がＤ2１３６にある時間の間、一斉送信警報が遠隔装置によって受信されると、遠隔装置は、一斉送信警報１２６を介して受話状態１０６に再び入る。好ましい実施態様では、Ｔ1、ＴD1、Ｔ2およびＴD2は、各ネットユーザーが個別にかつ動的に待ち時間のためにコストを犠牲にするように、すべてプログラマブルである。
【００５９】
好ましい実施態様では、各遠隔装置は、例えば、遠隔装置識別番号とハッシュ関数を使用して、スロットサイクルインデックスを求める。遠隔装置はスロットサイクルインデックスを使用し、それがその間に順方向リンク一斉送信チャンネルをモニタするタイムスロットを選択する。このようにして、異なる遠隔装置がさまざまなときに順方向リンク一斉送信チャンネルをモニタする。そのようなものとして、基地局は、すべての遠隔装置が活動休止状態にある順方向リンク一斉送信チャンネルをモニタするまで、十分な期間一斉送信警報を繰り返さなければならない。
【００６０】
活動休止状態１０８では、遠隔装置は、前述されるように、依然として電力制御を実行することに注意する。例えば、遠隔装置がＤ2１３６のスロットの間順方向リンク一斉送信チャンネルをモニタするときに、それが、順方向リンク一斉送信チャンネルが受信されるレベルが不十分であると判断する場合、遠隔装置は、電力要求アクセスメッセージを使用し、Ｄ2１３６状態を終了しないでさらに多くの電力を要求することができる。また、好ましい実施態様は、活動休止状態１０８内の２つの異なる状態で示されているが、さらに少ない数またはさらに多くの数の異なる状態が完全に本発明と一致していることにも注意する。
【００６１】
遠隔装置のユーザーが、活動休止状態１０８にある間に、自分自身でＰＴＴボタンを押下すると、遠隔装置は、押下されたＰＴＴ１２８を介して、ＰＴＴアクセス状態１１０に入る。ＰＴＴアクセス状態１１０では、遠隔装置は、アクセスチャンネルを使用し、アクティブ会話（ｔａｌｋｉｎｇ）遠隔装置になるための許可を取得しようと試みる。遠隔装置がＰＴＴアクセス状態１１０に入り、システムにアクセスしようと試みると、同じネット内の他の遠隔装置は一斉送信警報メッセージを受信する。ＰＴＴが拒絶されるか、あるいはトラフィックチャンネルが割り当てられる前にユーザーがＰＴＴボタンを放すと、遠隔装置は、ＰＴＴ拒絶済み／ＰＴＴ解放済み１３２を介して、受話状態１０６に入る。遠隔装置は、受話状態１０６から、ＰＴＴボタンを押下することによって、ＰＴＴ押下済み１３０を介してＰＴＴアクセス状態１１０に直接入る。
【００６２】
遠隔装置ユーザーが、活動休止状態１０８の間にすばやくＰＴＴボタンを押下し、解放すると、何が起こるのかに注意する。このユーザーは自分自身を受話状態１０６に入れるだけではなく、ユーザーがＰＴＴボタンを押下し、放したために作成される一斉送信警報は、ネット上のあらゆる遠隔装置を受話状態に遷移する。このようにして、完全に活動休止したシステムは、単一遠隔装置の動作により目覚めることができる。システムの使用の訓練を受けたオペレータは、この方法を使用して、システムを目覚めさせることができる。例えば、ネットユーザーの集合が何日もの間、監視されている場合、なんの動作も起きていないときにはネットユーザーが通信する理由がないため、システムが活動休止である可能性がある。オペレータは、容疑者が車の接近のような場面に近づいてくることがある徴候を見るとすぐに、ＰＴＴボタンを押下し、放し、ネット全体が活動休止状態から抜け出る。その後任意のネットユーザーがＰＴＴボタンを押して、メッセージを送信すると、ネットの応答は即座である。
【００６３】
再びＰＴＴアクセス状態１１０に戻ると、ユーザーがＰＴＴボタンを押下し続け、ＰＴＴ要求が許可されると、遠隔装置は、ＰＴＴ許可済み１４０を介して、会話状態１１２に入る。遠隔装置のいくつかがＤ2１３６にある場合、それらが、信号の受信を即座に開始するために使用できない可能性があることに注意する。遠隔装置オペレータは、ＰＴＴボタン押下と解放方法を使用しシステムを目覚めさせるか、あるいはＰＴＴボタンを押してから、重大な情報を話し始める前に数秒間待機するように訓練されることがある。この状況に対処する別の方法が、装置内の音声情報の初期伝送を遅延させることである。遠隔装置は、ユーザーがＰＴＴボタンを放すまで、あるいはユーザーの伝送が別のネットユーザーによって先取りされ(ｐｒｅｅｍｐｔｅｄ)、その場合遠隔装置がＰＴＴ解放／ＰＴＴ先取り１４２を介して受話状態１０６に再び入るまで、会話状態１１２にとどまる。
【００６４】
図３の代替実施例は、図４に示される。図４では、タイムアウト１２４、タイムアウト１３８、Ｄ1１３４、Ｄ2１３６と、図３の活動休止状態１０８が置き換えられている。図４では、遠隔装置は、活動休止モードに入るようにというコマンドが、基地局１４４からの活動休止コマンドを介して受信されるときに、活動休止状態１４８のために受話状態１０６を終了する。基地局からの活動休止コマンドは、どのくらい頻繁にそれが順方向リンク一斉送信チャンネルをモニタするのかを決定するために遠隔装置が使用するスロット時間期間を含む。このようにして、すべての遠隔装置は、同時に活動休止になるように命令されることがある。システムが活動休止モードを変更することを希望すると、基地局は、さらに長いまたはさらに短いスロット時間期間のある、次の活動休止コマンドを送る。活動休止状態１４８にある遠隔装置は、基地局１４６からの活動休止コマンドを介して活動休止状態１４８にとどまっている間にそれが順方向リンク一斉送信チャンネルをモニタする間隔を変更することによって応答する。通常、基地局は、ＰＴＴ解放表示が最終的に残っている話者から受信されると、第１タイマを開始する。第１タイマが次のＰＴＴ表示が受信される前に切れると、基地局は、かなり短いスロットサイクルのある活動休止モードを命令する可能性がある。期限切れ後、第２タイマ、ＰＴＴ表示が受信される前に、基地局は、さらに長いスロットサイクルのある活動休止モードを命令することがある。システムに、ＰＴＴ表示がまもなく来る可能性があると考えさせるイベントが発生すると、スロットサイクル期間が減少できる。このようなイベントの例は、軍事用途の夜明けまたはタクシーシステム用の大型ローカル航空路線の飛行機の着陸である。
【００６５】
好ましい実施態様の前記説明は、当業者が本発明を作成したり、使用できるようにするために提供される。これらの実施例に対する多様な修正は、当業者にすぐに明らかになり、ここに定められる一般原則は、発明の能力を使用しなくても他の実施例に応用できる。したがって、本発明はここに示される実施例に限られることを意図されるのではなく、ここに開示される原則と新規特徴と一致するもっとも幅広い範囲を与えられなければならない。
【図１】
2011010360.tif 000003
【図２】
2011010360.tif 000004
【図３】
2011010360.tif 000005
【図４】
2011010360.tif 000006
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
１対多のサービスを提供するディスパッチシステムにおいて遠隔装置の電力を節約するためのシステムであって、
それぞれが、受話状態において頻繁に前記ディスパッチシステムに係る順方向リンク一斉送信チャンネルを受信し、前記順方向リンク一斉送信チャンネルでのリンク活動をモニタするように構成された複数の遠隔装置と、ここで前記複数の遠隔装置のそれぞれは、前記リンク活動が予め定められたしきい値を下回る場合には、第１活動休止状態に入り、そして
アクセスチャンネル上で前記複数の遠隔装置の内の１つから受信されるプッシュツートーク表示に応えて、前記順方向リンク一斉送信チャンネルで一斉送信警報を生成するように構成された基地局とを含み、ここで前記一斉送信警報は前記複数の遠隔装置に前記第１活動休止状態を終了するように命令する、
システム。
【請求項２】
１対多のサービスを提供するディスパッチシステムにおいて動作する遠隔装置を制御するための機器であって、
前記ディスパッチシステムに係る順方向リンクー斉送信チャンネルを頻繁に受信するための手段と、
前記順方向リンク一斉送信チャンネル上でのリンク活動のレベルを決定するための手段と、そして、
前記順方向リンク一斉送信チャンネル上での活動の前記レベルが、予め定められたレベルを下回る場合に、時間的に離れて配置されている第１の予め定められたセットのタイムスロットの期間において、前記順方向リンク一斉送信チャンネルを受信するための手段と、
を含む機器。
【請求項３】
さらに、前記遠隔装置が、前記第１の予め定められたセットのタイムスロットの期間において、前記順方向リンク一斉送信チャンネルを受信しているときに、前記遠隔装置によって消費される電力の量を削減するための手段を備える請求項２に記載の機器。
【請求項４】
さらに、前記第１の予め定められたセットのタイムスロットより時間的にさらに大きく離れて配置された第２の予め定められたセットのタイムスロットの期間において、前記順方向リンク一斉送信チャンネル上での前記活動レベルが第２の予め定められた活動レベルを下回る場合にだけ、前記順方向リンク一斉送信チャンネルを受信するための手段を備える、請求項３に記載の遠隔装置の制御のための機器。
【請求項５】
１対多のサービスを提供するディスパッチシステム内の遠隔装置の電力消費を削減するための方法であって、
前記ディスパッチシステムに係る順方向リンク一斉送信チャネルを基地局から送信し、
複数の遠隔装置のそれぞれが、受話状態において頻繁に前記ディスパッチシステムに係る順方向リンク一斉送信チャネルを受信し、そして前記順方向リンク一斉送信チャンネルでのリンク活動をモニタし、
前記複数の遠隔装置のそれぞれは、前記活動のレベルが予め定められたしきい値を下回る場合には、第１活動休止状態に入り、そして
基地局は、アクセスチャンネル上で前記複数の遠隔装置の内の１つから受信されるプッシュツートーク表示に応えて、前記順方向リンク一斉送信チャンネルで一斉送信警報を生成し、ここで前記一斉送信警報は前記複数の遠隔装置に前記第１活動休止状態を終了するように命令する、
方法。
【外国語明細書】
2011010360000001.pdf